(57)【特許請求の範囲】
【請求項１】
エンジンと、該エンジンと車輪との間の動力伝達経路上に設けられた自動変速機と、上記車輪を制動するブレーキ装置とを備えた車両の制御装置であって、
上記車両の走行中に上記エンジンを自動停止するとともに上記自動変速機をニュートラル状態にするコーストアイドルストップ制御を実行するコーストアイドルストップ制御手段と、
上記車両の走行中に上記エンジンをアイドル運転するとともに上記自動変速機をニュートラル状態にするコーストアイドル制御を実行するコーストアイドル制御手段と、
所定のコースト走行条件の成立時に、上記コーストアイドルストップ制御手段により上記コーストアイドルストップ制御を実行させるか、又は、上記コーストアイドル制御手段により上記コーストアイドル制御を実行させるコースト走行制御手段と、
上記車両の乗員から、上記車両の車速を目標車速にするように上記エンジン及び上記ブレーキ装置を制御するオートクルーズ制御を実行する要求があった時に、上記オートクルーズ制御を実行するオートクルーズ制御手段と、を備え、
上記オートクルーズ制御手段による上記オートクルーズ制御は、上記車両と上記車両の前方に存在する先行車両との車間距離が予め設定された目標距離になるように、上記エンジン及び上記ブレーキ装置を制御する追従走行制御と、上記車両の乗員による操作に応じて上記目標車速を変更可能でありかつ上記車両の車速が設定された目標車速となるように上記エンジン及び上記ブレーキ装置を制御する定速走行制御とを含む制御であり、
上記所定のコースト走行条件は、上記車両の車速が所定車速以上でありかつ該車両のドライバーによるアクセルペダルの踏み込み量が第１所定量未満でありかつ該ドライバーによるブレーキペダルの踏み込み量が第２所定量未満であるという条件であり、
上記コースト走行制御手段は、上記所定のコースト走行条件の成立時において、上記オートクルーズ制御手段による、上記追従走行制御又は上記定速走行制御の実行中であるときには、上記コーストアイドルストップ制御手段に対して上記コーストアイドルストップ制御を実行させる一方、上記オートクルーズ制御手段による、上記追従走行制御及び上記定速走行制御がどちらも実行中でないときには、上記コーストアイドル制御手段に対して上記コーストアイドル制御を実行させるように構成されていることを特徴とする車両の制御装置。
【請求項２】
エンジンと、該エンジンと車輪との間の動力伝達経路上に設けられた自動変速機と、上記車輪を制動するブレーキ装置とを備えた車両の制御装置であって、
上記車両の走行中に上記エンジンを自動停止するとともに上記自動変速機をニュートラル状態にするコーストアイドルストップ制御を実行するコーストアイドルストップ制御手段と、
上記車両の走行中に上記エンジンをアイドル運転するとともに上記自動変速機をニュートラル状態にするコーストアイドル制御を実行するコーストアイドル制御手段と、
所定のコースト走行条件の成立時に、上記コーストアイドルストップ制御手段により上記コーストアイドルストップ制御を実行させるか、又は、上記コーストアイドル制御手段により上記コーストアイドル制御を実行させるコースト走行制御手段と、
上記車両の乗員から、上記車両の車速を目標車速にするように上記エンジン及び上記ブレーキ装置を制御するオートクルーズ制御を実行する要求があった時に、上記オートクルーズ制御を実行するオートクルーズ制御手段と、を備え、
上記所定のコースト走行条件は、上記車両の車速が所定車速以上でありかつ該車両のドライバーによるアクセルペダルの踏み込み量が第１所定量未満でありかつ該ドライバーによるブレーキペダルの踏み込み量が第２所定量未満であるという条件であり、
上記コースト走行制御手段は、上記所定のコースト走行条件の成立時において、上記オートクルーズ制御手段による上記オートクルーズ制御の実行中であるときには、上記コーストアイドルストップ制御手段に対して上記コーストアイドルストップ制御を実行させる一方、上記オートクルーズ制御手段による上記オートクルーズ制御の実行中でないときには、上記コーストアイドル制御手段に対して上記コーストアイドル制御を実行させるように構成されており、
上記オートクルーズ制御手段は、上記車両の乗員による操作に応じて上記目標車速を変更可能に構成されており、
さらに上記コースト走行制御手段は、上記コーストアイドルストップ制御手段による上記コーストアイドルストップ制御の実行中において、上記オートクルーズ制御手段が上記目標車速を変更し、該目標車速の変更量が、予め設定された第１基準車速以上であるときには、上記オートクルーズ制御手段による上記オートクルーズ制御の実行中であっても、上記コーストアイドル制御手段による上記コーストアイドル制御の実行に移行させるように構成されていることを特徴とする車両の制御装置。
【請求項３】
請求項２に記載の車両の制御装置において、
上記コースト走行制御手段は、上記コーストアイドルストップ制御手段による上記コーストアイドルストップ制御の実行中、又は、上記コーストアイドル制御手段による上記コーストアイドル制御に移行した後に、上記オートクルーズ制御手段が上記目標車速を変更し、該目標車速の変更量が、予め上記第１基準車速よりも大きい値に設定された第２基準車速以上であるときには、上記コーストアイドル制御手段による上記コーストアイドル制御の実行を停止させるように構成されていることを特徴とする車両の制御装置。
【請求項４】
エンジンと、該エンジンと車輪との間の動力伝達経路上に設けられた自動変速機と、上記車輪を制動するブレーキ装置とを備えた車両の制御装置であって、
上記車両の走行中に上記エンジンを自動停止するとともに上記自動変速機をニュートラル状態にするコーストアイドルストップ制御を実行するコーストアイドルストップ制御手段と、
上記車両の走行中に上記エンジンをアイドル運転するとともに上記自動変速機をニュートラル状態にするコーストアイドル制御を実行するコーストアイドル制御手段と、
所定のコースト走行条件の成立時に、上記コーストアイドルストップ制御手段により上記コーストアイドルストップ制御を実行させるか、又は、上記コーストアイドル制御手段により上記コーストアイドル制御を実行させるコースト走行制御手段と、
上記車両の乗員から、上記車両の車速を目標車速にするように上記エンジン及び上記ブレーキ装置を制御するオートクルーズ制御を実行する要求があった時に、上記オートクルーズ制御を実行するオートクルーズ制御手段と、を備え、
上記所定のコースト走行条件は、上記車両の車速が所定車速以上でありかつ該車両のドライバーによるアクセルペダルの踏み込み量が第１所定量未満でありかつ該ドライバーによるブレーキペダルの踏み込み量が第２所定量未満であるという条件であり、
上記コースト走行制御手段は、上記所定のコースト走行条件の成立時において、上記オートクルーズ制御手段による上記オートクルーズ制御の実行中であるときには、上記コーストアイドルストップ制御手段に対して上記コーストアイドルストップ制御を実行させる一方、上記オートクルーズ制御手段による上記オートクルーズ制御の実行中でないときには、上記コーストアイドル制御手段に対して上記コーストアイドル制御を実行させるように構成されており、
上記オートクルーズ制御手段は、上記オートクルーズ制御の実行中に上記車両のドライバーによってアクセル操作がされたとしても、上記オートクルーズ制御の実行を継続させるように構成されており、
さらに上記コースト走行制御手段は、上記コーストアイドルストップ制御手段による上記コーストアイドルストップ制御の実行中に、上記車両の前方に存在する先行車両を追い越すためのアクセル操作が行われたときには、上記コーストアイドルストップ制御手段による上記コーストアイドルストップ制御の実行を停止させて、その後、上記アクセル操作が解除されかつ上記所定のコースト走行条件が成立したときには、上記オートクルーズ制御手段による上記オートクルーズ制御の実行中であっても、上記コーストアイドル制御手段に対して上記コーストアイドル制御を実行させるように構成されていることを特徴とする車両の制御装置。
【請求項５】
請求項４に記載の車両の制御装置において、
上記オートクルーズ制御手段は、上記オートクルーズ制御の実行中において、所定のオートクルーズ制御解除条件が成立したときには、上記オートクルーズ制御を停止させるように構成されており、
上記所定のオートクルーズ制御解除条件は、上記車両のドライバーによってブレーキ操作がされるという条件、及び、上記車両の乗員によって、上記オートクルーズ制御を停止させるためのオートクルーズ制御解除手段の操作がされるという条件のうちの少なくとも一方が成立するという条件であって、
上記コースト走行制御手段は、上記アクセル操作が解除されかつ上記所定のコースト走行条件の成立時の、上記コーストアイドル制御の実行中に、上記所定のオートクルーズ制御解除条件が成立するとともに上記所定のコースト走行条件が非成立となったときには、上記コーストアイドル制御手段による上記コーストアイドル制御の実行を停止させ、その後、上記所定のコースト走行条件の成立時において、上記オートクルーズ制御手段による上記オートクルーズ制御の実行中であるときには、上記コーストアイドルストップ制御手段に対して上記コーストアイドルストップ制御を実行させるように構成されていることを特徴とする車両の制御装置。
【請求項６】
エンジンと、該エンジンと車輪との間の動力伝達経路上に設けられた自動変速機と、上記車輪を制動するブレーキ装置とを備えた車両の制御装置であって、
上記車両の走行中に上記エンジンを自動停止するとともに上記自動変速機をニュートラル状態にするコーストアイドルストップ制御を実行するコーストアイドルストップ制御手段と、
上記車両の走行中に上記エンジンをアイドル運転するとともに上記自動変速機をニュートラル状態にするコーストアイドル制御を実行するコーストアイドル制御手段と、
所定のコースト走行条件の成立時に、上記コーストアイドルストップ制御手段により上記コーストアイドルストップ制御を実行させるか、又は、上記コーストアイドル制御手段により上記コーストアイドル制御を実行させるコースト走行制御手段と、
上記車両の乗員から、上記車両の車速を目標車速にするように上記エンジン及び上記ブレーキ装置を制御するオートクルーズ制御を実行する要求があった時に、上記オートクルーズ制御を実行するオートクルーズ制御手段と、を備え、
上記所定のコースト走行条件は、上記車両の車速が所定車速以上でありかつ該車両のドライバーによるアクセルペダルの踏み込み量が第１所定量未満でありかつ該ドライバーによるブレーキペダルの踏み込み量が第２所定量未満であるという条件であり、
上記コースト走行制御手段は、上記所定のコースト走行条件の成立時において、上記オートクルーズ制御手段による上記オートクルーズ制御の実行中であるときには、上記コーストアイドルストップ制御手段に対して上記コーストアイドルストップ制御を実行させる一方、上記オートクルーズ制御手段による上記オートクルーズ制御の実行中でないときには、上記コーストアイドル制御手段に対して上記コーストアイドル制御を実行させるように構成されており、
上記オートクルーズ制御手段による上記オートクルーズ制御は、上記車両と上記車両の前方に存在する先行車両との車間距離が予め設定された目標距離になるように、上記エンジン及び上記ブレーキ装置を制御する追従走行制御を含む制御であって、
上記オートクルーズ制御手段は、上記追従走行制御を実行可能であるとともに、上記追従走行制御の実行中は、上記目標車速を上記車両と上記先行車両との車間距離に基づいて設定するように構成されており、
さらに上記コースト走行制御手段は、上記所定のコースト走行条件の成立時において、上記オートクルーズ制御手段による上記追従走行制御の実行中でありかつ上記車両の実車速と上記目標車速との差が、予め設定された設定量未満であるときには、上記コーストアイドルストップ制御手段に対して上記コーストアイドルストップ制御を実行させる一方、上記オートクルーズ制御手段による上記追従走行制御の実行中でありかつ上記車両の実車速と上記目標車速との差が、上記設定量以上であるときには、上記オートクルーズ制御手段による上記追従走行制御の実行中であっても、上記コーストアイドル制御手段に対して上記コーストアイドル制御を実行させるように構成されていることを特徴とする車両の制御装置。
【請求項７】
エンジンと、該エンジンと車輪との間の動力伝達経路上に設けられた自動変速機と、上記車輪を制動するブレーキ装置とを備えた車両の制御装置であって、
上記車両の走行中に上記エンジンを自動停止するとともに上記自動変速機をニュートラル状態にするコーストアイドルストップ制御を実行するコーストアイドルストップ制御手段と、
上記車両の走行中に上記エンジンをアイドル運転するとともに上記自動変速機をニュートラル状態にするコーストアイドル制御を実行するコーストアイドル制御手段と、
所定のコースト走行条件の成立時に、上記コーストアイドルストップ制御手段により上記コーストアイドルストップ制御を実行させるか、又は、上記コーストアイドル制御手段により上記コーストアイドル制御を実行させるコースト走行制御手段と、
上記車両の乗員から、上記車両の車速を目標車速にするように上記エンジン及び上記ブレーキ装置を制御するオートクルーズ制御を実行する要求があった時に、上記オートクルーズ制御を実行するオートクルーズ制御手段と、を備え、
上記所定のコースト走行条件は、上記車両の車速が所定車速以上でありかつ該車両のドライバーによるアクセルペダルの踏み込み量が第１所定量未満でありかつ該ドライバーによるブレーキペダルの踏み込み量が第２所定量未満であるという条件であり、
上記コースト走行制御手段は、上記所定のコースト走行条件の成立時において、上記オートクルーズ制御手段による上記オートクルーズ制御の実行中であるときには、上記コーストアイドルストップ制御手段に対して上記コーストアイドルストップ制御を実行させる一方、上記オートクルーズ制御手段による上記オートクルーズ制御の実行中でないときには、上記コーストアイドル制御手段に対して上記コーストアイドル制御を実行させるように構成されており、
上記エンジンの排気通路に排気浄化装置が設けられており、
上記排気浄化装置の温度を検出する排気浄化装置温度検出手段を更に備え、
さらに上記コースト走行制御手段は、上記排気浄化装置温度検出手段による上記排気浄化装置の温度が、該排気浄化装置の触媒の活性化温度以上でかつ該触媒の活性化温度よりも高い所定温度未満であるときには、上記所定のコースト走行条件の成立時において、上記オートクルーズ制御の実行中であっても、上記コーストアイドル制御手段に対して上記コーストアイドル制御を実行させるように構成されていることを特徴とする車両の制御装置。
【発明の詳細な説明】
【技術分野】
【０００１】
本発明は、車両の制御装置に関する。
【背景技術】
【０００２】
従来より、例えば特許文献１に示されているように、車両の走行時の緩やかな減速運転時に、エンジンを自動停止するとともに自動変速機をニュートラル状態にする（コーストアイドルストップ制御を実行する）ことが提案されている。これによれば、エンジンの自動停止により燃費を改善することができるとともに、エンジンを自動停止しかつ自動変速機を非ニュートラル状態にする場合に比べて、車両をコースト走行（惰性走行）させたいドライバーに対して、過剰な減速感を与えるのを抑制することができる。
【先行技術文献】
【特許文献】
【０００３】
【特許文献１】特許第３１９６４９０号公報
【発明の概要】
【発明が解決しようとする課題】
【０００４】
ところで、車両をコースト走行させる場合、燃費の改善及び過剰な減速感の抑制の両立を図る観点から、上記特許文献１のようにコーストアイドルストップ制御を実行することが好ましい。
【０００５】
ここで、コーストアイドルストップ制御の実行中に、ドライバーが再びアクセルペダルを踏み込んで再加速要求を行ったときには、この要求に対応するべく、エンジンを始動しかつ自動変速機を非ニュートラル状態にして（所定の締結要素を締結状態にする）、その再加速要求に対応させる。また、上記コーストアイドルストップ制御の実行中において、ドライバーがブレーキペダルを踏み込んだときには、ドライバーがコースト走行時よりも大きな減速を要求している、つまり、エンジンブレーキを要求していることになり、このときにも、エンジンを始動しかつ自動変速機を非ニュートラル状態にして、そのエンジンブレーキ要求に対応させる。
【０００６】
このようにコーストアイドルストップ制御の実行中に、ドライバーの再加速要求やエンジンブレーキ要求があったときには、エンジンを始動しかつ自動変速機を非ニュートラル状態にして、そのような要求に対応することになるが、特にエンジンの始動には時間がかかるため、ドライバーの再加速要求やエンジンブレーキ要求に対する応答性が悪いという問題がある。
【０００７】
本発明は、斯かる点に鑑みてなされたものであり、その目的とするところは、燃費の改善効果を出来る限り得られるようにしながら、ドライバーからの再加速要求又はエンジンブレーキ要求に対して高い応答性が要求されるような場合には、その高い応答性の要求を満たすことができるようにすることにある。
【課題を解決するための手段】
【０００８】
上記課題を解決するために、本発明は、エンジンと、該エンジンと車輪との間の動力伝達経路上に設けられた自動変速機と、上記車輪を制動するブレーキ装置とを備えた車両の制御装置を対象として、上記車両の走行中に上記エンジンを自動停止するとともに上記自動変速機をニュートラル状態にするコーストアイドルストップ制御を実行するコーストアイドルストップ制御手段と、上記車両の走行中に上記エンジンをアイドル運転するとともに上記自動変速機をニュートラル状態にするコーストアイドル制御を実行するコーストアイドル制御手段と、所定のコースト走行条件の成立時に、上記コーストアイドルストップ制御手段により上記コーストアイドルストップ制御を実行させるか、又は、上記コーストアイドル制御手段により上記コーストアイドル制御を実行させるコースト走行制御手段と、上記車両の乗員から、上記車両の車速を目標車速にするように上記エンジン及び上記ブレーキ装置を制御するオートクルーズ制御を実行する要求があった時に、上記オートクルーズ制御を実行するオートクルーズ制御手段と、を備え、上記オートクルーズ制御手段による上記オートクルーズ制御は、上記車両と上記車両の前方に存在する先行車両との車間距離が予め設定された目標距離になるように、上記エンジン及び上記ブレーキ装置を制御する追従走行制御と、上記車両の乗員による操作に応じて上記目標車速を変更可能でありかつ上記車両の車速が設定された目標車速となるように上記エンジン及び上記ブレーキ装置を制御する定速走行制御とを含む制御であり、上記所定のコースト走行条件は、上記車両の車速が所定車速以上でありかつ該車両のドライバーによるアクセルペダルの踏み込み量が第１所定量未満でありかつ該ドライバーによるブレーキペダルの踏み込み量が第２所定量未満であるという条件であり、上記コースト走行制御手段は、上記所定のコースト走行条件の成立時において、上記オートクルーズ制御手段による、上記追従走行制御又は上記定速走行制御の実行中であるときには、上記コーストアイドルストップ制御手段に対して上記コーストアイドルストップ制御を実行させる一方、上記オートクルーズ制御手段による、上記追従走行制御及び上記定速走行制御がどちらも実行中でないときには、上記コーストアイドル制御手段に対して上記コーストアイドル制御を実行させるように構成されている、ものとした。
【０００９】
この構成によると、上記所定のコースト走行条件の成立時において、上記オートクルーズ制御手段による上記オートクルーズ制御が実行中であるときには、上記コーストアイドルストップ制御手段に対して上記コーストアイドルストップ制御を実行させて、上記エンジンを自動停止させかつ上記自動変速機を上記ニュートラル状態にすることで、燃費の改善効果を十分に得ることができる。このコーストアイドルストップ制御の実行中にドライバーの再加速要求やエンジンブレーキ要求があったときには、上記エンジンを始動しかつ上記自動変速機を非ニュートラル状態にして、そのような要求に対応することになるため、該要求に対する応答性が低くなる。すなわち、上記オートクルーズ制御の実行中には、ドライバーは、基本的には定速運転を行うことを求めているため、ドライバーからの再加速要求やエンジンブレーキ要求がなされることは少なく、コーストアイドルストップ制御を実行しても問題はない。一方、所定のコースト走行条件の成立時において、上記オートクルーズ制御が実行中でないときには、ドライバーは、車速を変更させることを求めているため、ドライバーからの再加速要求やエンジンブレーキ要求がなされる可能性が高く、また、再加速要求やエンジンブレーキ要求に対して高い応答性が要求されることになるが、ドライバーからの再加速要求やエンジンブレーキ要求があったときには、上記エンジンは既に運転状態にあるため、その高い応答性の要求を満たすことができるようになる。
【００１０】
上記車両の制御装置の第２の態様は、エンジンと、該エンジンと車輪との間の動力伝達経路上に設けられた自動変速機と、上記車輪を制動するブレーキ装置とを備えた車両の制御装置を対象として、上記車両の走行中に上記エンジンを自動停止するとともに上記自動変速機をニュートラル状態にするコーストアイドルストップ制御を実行するコーストアイドルストップ制御手段と、上記車両の走行中に上記エンジンをアイドル運転するとともに上記自動変速機をニュートラル状態にするコーストアイドル制御を実行するコーストアイドル制御手段と、所定のコースト走行条件の成立時に、上記コーストアイドルストップ制御手段により上記コーストアイドルストップ制御を実行させるか、又は、上記コーストアイドル制御手段により上記コーストアイドル制御を実行させるコースト走行制御手段と、上記車両の乗員から、上記車両の車速を目標車速にするように上記エンジン及び上記ブレーキ装置を制御するオートクルーズ制御を実行する要求があった時に、上記オートクルーズ制御を実行するオートクルーズ制御手段と、を備え、上記所定のコースト走行条件は、上記車両の車速が所定車速以上でありかつ該車両のドライバーによるアクセルペダルの踏み込み量が第１所定量未満でありかつ該ドライバーによるブレーキペダルの踏み込み量が第２所定量未満であるという条件であり、上記コースト走行制御手段は、上記所定のコースト走行条件の成立時において、上記オートクルーズ制御手段による上記オートクルーズ制御の実行中であるときには、上記コーストアイドルストップ制御手段に対して上記コーストアイドルストップ制御を実行させる一方、上記オートクルーズ制御手段による上記オートクルーズ制御の実行中でないときには、上記コーストアイドル制御手段に対して上記コーストアイドル制御を実行させるように構成されており、上記オートクルーズ制御手段は、上記車両の乗員による操作に応じて上記目標車速を変更可能に構成されており、さらに上記コースト走行制御手段は、上記コーストアイドルストップ制御手段による上記コーストアイドルストップ制御の実行中において、上記オートクルーズ制御手段が上記目標車速を変更し、該目標車速の変更量が、予め設定された第１基準車速以上であるときには、上記オートクルーズ制御手段による上記オートクルーズ制御の実行中であっても、上記コーストアイドル制御手段による上記コーストアイドル制御の実行に移行させるように構成されている、ことが望ましい。
【００１１】
すなわち、上記オートクルーズ制御手段によって上記目標車速が変更されたときには、上記車両の車速を上記目標車速にするために、再加速又はエンジンブレーキが必要となる可能性がある。一方で、上記目標車速の変更量が僅かであったときには、再加速又はエンジンブレーキが必要がない場合もある。そのため、上記車両の車速を上記目標車速にするために、再加速又はエンジンブレーキが必要となる可能性がある程度の、上記目標車速の変更量を上記第１基準車速として予め設定しておき、上記目標車速の変更量が、上記第１基準車速以上であるときには、上記オートクルーズ制御の実行中であっても、上記コーストアイドル制御手段による上記コーストアイドル制御に移行させるようにすることで、上記オートクルーズ制御の実行中において、再加速又はエンジンブレーキが必要となったとしても、再加速要求又はエンジンブレーキ要求に対する高い応答性の要求を満たすことができるようになる。
【００１２】
上記第２の態様において、上記コースト走行制御手段は、上記コーストアイドルストップ制御手段による上記コーストアイドルストップ制御の実行中、又は、上記コーストアイドル制御手段による上記コーストアイドル制御に移行した後に、上記オートクルーズ制御手段が上記目標車速を変更し、該目標車速の変更量が、予め上記第１基準車速よりも大きい値に設定された第２基準車速以上であるときには、上記コーストアイドル制御手段による上記コーストアイドル制御の実行を停止させるように構成されている、ことが望ましい。
【００１３】
すなわち、上記目標車速の変更量が、再加速又はエンジンブレーキが必要となる程度の大きさであるときには、上記コーストアイドル制御による上記コーストアイドル制御の実行を停止させて、上記自動変速機を非ニュートラル状態にする必要がある。そのため、再加速又はエンジンブレーキが必要となる程度の、上記目標車速の変更量を上記第２基準車速として予め設定しておき、上記目標車速の変更量が、上記第２基準車速以上であるときには、上記コーストアイドル制御による上記コーストアイドル制御の実行を停止させるようにする。これにより、ドライバーからの再加速要求又はエンジンブレーキ要求に対する高い応答性の要求をより満たすことができる。
【００１４】
上記車両の制御装置の第３の態様は、エンジンと、該エンジンと車輪との間の動力伝達経路上に設けられた自動変速機と、上記車輪を制動するブレーキ装置とを備えた車両の制御装置を対象として、上記車両の走行中に上記エンジンを自動停止するとともに上記自動変速機をニュートラル状態にするコーストアイドルストップ制御を実行するコーストアイドルストップ制御手段と、上記車両の走行中に上記エンジンをアイドル運転するとともに上記自動変速機をニュートラル状態にするコーストアイドル制御を実行するコーストアイドル制御手段と、所定のコースト走行条件の成立時に、上記コーストアイドルストップ制御手段により上記コーストアイドルストップ制御を実行させるか、又は、上記コーストアイドル制御手段により上記コーストアイドル制御を実行させるコースト走行制御手段と、上記車両の乗員から、上記車両の車速を目標車速にするように上記エンジン及び上記ブレーキ装置を制御するオートクルーズ制御を実行する要求があった時に、上記オートクルーズ制御を実行するオートクルーズ制御手段と、を備え、上記所定のコースト走行条件は、上記車両の車速が所定車速以上でありかつ該車両のドライバーによるアクセルペダルの踏み込み量が第１所定量未満でありかつ該ドライバーによるブレーキペダルの踏み込み量が第２所定量未満であるという条件であり、上記コースト走行制御手段は、上記所定のコースト走行条件の成立時において、上記オートクルーズ制御手段による上記オートクルーズ制御の実行中であるときには、上記コーストアイドルストップ制御手段に対して上記コーストアイドルストップ制御を実行させる一方、上記オートクルーズ制御手段による上記オートクルーズ制御の実行中でないときには、上記コーストアイドル制御手段に対して上記コーストアイドル制御を実行させるように構成されており、上記オートクルーズ制御手段は、上記オートクルーズ制御の実行中に上記車両のドライバーによってアクセル操作がされたとしても、上記オートクルーズ制御の実行を継続させるように構成されており、さらに上記コースト走行制御手段は、上記コーストアイドルストップ制御手段による上記コーストアイドルストップ制御の実行中に、上記車両の前方に存在する先行車両を追い越すためのアクセル操作が行われたときには、上記コーストアイドルストップ制御手段による上記コーストアイドルストップ制御の実行を停止させて、その後、上記アクセル操作が解除されかつ上記所定のコースト走行条件が成立したときには、上記オートクルーズ制御手段による上記オートクルーズ制御の実行中であっても、上記コーストアイドル制御手段に対して上記コーストアイドル制御を実行させるように構成されている、ことが望ましい。
【００１５】
すなわち、上記オートクルーズ制御手段による上記オートクルーズ制御の実行中かつ上記コーストアイドルストップ制御手段による上記コーストアイドルストップ制御の実行中であっても、先行車両を追い越す際には、該追い越しのためのアクセル操作を行って一時的に再加速を行う必要がある。また、一般的に、上記先行車両を追い越した後には、運転の快適性を維持するために、再度オートクルーズ制御が実行されることが多い。そこで、上記コーストアイドルストップ制御中に、上記ドライバーによって、追い越しのためのアクセル操作が行われたときには、上記オートクルーズ制御を実行させたまま、上記コーストアイドルストップ制御による上記コーストアイドルストップ制御の実行を停止させて、上記エンジンを作動させかつ上記自動変速機を非ニュートラル状態にする。これにより、上記車両の加速させることができ、この結果、上記先行車両を容易に追い越すことができるようになるとともに、上記先行車両を追い越した後にも、上記オートクルーズ制御が継続されるため運転の快適性を維持することができる。
【００１６】
また、上記先行車両を追い越した後に、該先行車両よりも前方に別の先行車両が存在して、該別の先行車両との間の車間距離が比較的長いときには、上記別の先行車両に追いつくために、ドライバーからの再加速要求がある可能性がある。そこで、上記アクセル操作が解除されかつ上記コースト走行制御条件が成立したときには、上記オートクルーズ制御手段による上記オートクルーズ制御の実行中であっても、上記コーストアイドル制御手段に対して上記コーストアイドル制御を実行させるようにすることで、ドライバーからの再加速要求に対して高い応答性が要求されたとしても、その高い応答性の要求を一層満たすことができるようになる。
【００１７】
上記第３の態様において、上記オートクルーズ制御手段は、上記オートクルーズ制御の実行中において、所定のオートクルーズ制御解除条件が成立したときには、上記オートクルーズ制御を停止させるように構成されており、上記所定のオートクルーズ制御解除条件は、上記車両のドライバーによってブレーキ操作がされるという条件、及び、上記車両の乗員によって、上記オートクルーズ制御を停止させるためのオートクルーズ制御解除手段の操作がされるという条件のうちの少なくとも一方が成立するという条件であって、上記コースト走行制御手段は、上記アクセル操作が解除されかつ上記所定のコースト走行条件の成立時の、上記コーストアイドル制御の実行中に、上記所定のオートクルーズ制御解除条件が成立するとともに上記所定のコースト走行条件が非成立となったときには、上記コーストアイドル制御手段による上記コーストアイドル制御の実行を停止させ、その後、上記所定のコースト走行条件の成立時において、上記オートクルーズ制御手段による上記オートクルーズ制御の実行中であるときには、上記コーストアイドルストップ制御手段に対して上記コーストアイドルストップ制御を実行させるように構成されている、ことが望ましい。
【００１８】
すなわち、上記先行車両を追い越した後に、該先行車両よりも前方に上記先行車両とは別の先行車両が存在しない場合には、一時的に上記オートクルーズ制御手段による上記オートクルーズ制御を解除して運転し、上記車両の前方に上記別の先行車両が存在するようになった後、再度上記オートクルーズ制御を実行することがある。再度上記オートクルーズ制御を実行するときには、少なくとも一定期間は、上記別の先行車両の車速に合わせて運転したり、一定の車速で運転したりすることになるため、ドライバーからの再加速要求やエンジンブレーキ要求がある可能性は低くなる。そこで、追い越しのためのアクセル操作が解除されかつ上記コースト走行制御条件が成立したときの、上記コーストアイドル制御の実行中に、上記所定のオートクルーズ制御解除条件が成立しかつ上記所定のコースト走行条件が非成立となったときには、上記コーストアイドル制御手段による上記コーストアイドル制御の実行を停止させ、その後、上記所定のコースト走行条件の成立時において、上記オートクルーズ制御の実行中であるときには、上記コーストアイドルストップ制御手段に対して上記コーストアイドルストップ制御を実行させるようにする。これにより、上記先行車両を追い越した後、上記オートクルーズ制御の実行を停止させて運転して、その後、再び上記オートクルーズ制御を実行して、再度の上記オートクルーズ制御の実行中に上記コースト走行条件が成立したときには、上記コーストアイドルストップ制御手段に対して上記コーストアイドルストップ制御を実行させて、燃費の改善を図ることができる。
【００１９】
この結果、燃費の改善を図りつつ、ドライバーからの再加速要求及びエンジンブレーキ要求に対する高い応答性の要求を一層満たすことができる。
【００２０】
上記車両の制御装置の第４の態様は、エンジンと、該エンジンと車輪との間の動力伝達経路上に設けられた自動変速機と、上記車輪を制動するブレーキ装置とを備えた車両の制御装置を対象として、上記車両の走行中に上記エンジンを自動停止するとともに上記自動変速機をニュートラル状態にするコーストアイドルストップ制御を実行するコーストアイドルストップ制御手段と、上記車両の走行中に上記エンジンをアイドル運転するとともに上記自動変速機をニュートラル状態にするコーストアイドル制御を実行するコーストアイドル制御手段と、所定のコースト走行条件の成立時に、上記コーストアイドルストップ制御手段により上記コーストアイドルストップ制御を実行させるか、又は、上記コーストアイドル制御手段により上記コーストアイドル制御を実行させるコースト走行制御手段と、上記車両の乗員から、上記車両の車速を目標車速にするように上記エンジン及び上記ブレーキ装置を制御するオートクルーズ制御を実行する要求があった時に、上記オートクルーズ制御を実行するオートクルーズ制御手段と、を備え、上記所定のコースト走行条件は、上記車両の車速が所定車速以上でありかつ該車両のドライバーによるアクセルペダルの踏み込み量が第１所定量未満でありかつ該ドライバーによるブレーキペダルの踏み込み量が第２所定量未満であるという条件であり、上記コースト走行制御手段は、上記所定のコースト走行条件の成立時において、上記オートクルーズ制御手段による上記オートクルーズ制御の実行中であるときには、上記コーストアイドルストップ制御手段に対して上記コーストアイドルストップ制御を実行させる一方、上記オートクルーズ制御手段による上記オートクルーズ制御の実行中でないときには、上記コーストアイドル制御手段に対して上記コーストアイドル制御を実行させるように構成されており、上記オートクルーズ制御手段による上記オートクルーズ制御は、上記車両と上記車両の前方に存在する先行車両との車間距離が予め設定された目標距離になるように、上記エンジン及び上記ブレーキ装置を制御する追従走行制御を含む制御であって、上記オートクルーズ制御手段は、上記追従走行制御を実行可能であるとともに、上記追従走行制御の実行中は、上記目標車速を上記車両と上記先行車両との車間距離に基づいて設定するように構成されており、さらに上記コースト走行制御手段は、上記所定のコースト走行条件の成立時において、上記オートクルーズ制御手段による上記追従走行制御の実行中でありかつ上記車両の実車速と上記目標車速との差が、予め設定された設定量未満であるときには、上記コーストアイドルストップ制御手段に対して上記コーストアイドルストップ制御を実行させる一方、上記オートクルーズ制御手段による上記追従走行制御の実行中でありかつ上記車両の実車速と上記目標車速との差が、上記設定量以上であるときには、上記オートクルーズ制御手段による上記追従走行制御の実行中であっても、上記コーストアイドル制御手段に対して上記コーストアイドル制御を実行させるように構成されている、ことが望ましい。
【００２１】
この構成によると、上記オートクルーズ制御は追従走行制御を含む制御であり、上記追従走行制御の実行中は、上記目標車速が上記車両と上記先行車両との車間距離に基づいて設定されるため、上記車両の車速と上記先行車両の車速とに差があり、上記車間距離が上記目標距離よりも長く又は短くなるときには、上記目標車速が変更（上昇又は低下）される。これにより、上記車両の車速を、上記車間距離を上記目標距離に維持するための適切な車速にすることができる。
【００２２】
また、上記車両の実車速と上記目標車速との差が上記設定量以上であるときには、早期に実車速を目標車速にするために、再加速又はエンジンブレーキが必要となる可能性がある。上記の構成では、上記オートクルーズ制御手段による上記追従走行制御の実行中でありかつ上記車両の実車速と上記目標車速との差が、上記設定量以上であるときには、上記オートクルーズ制御手段による上記追従走行制御の実行中であっても、上記コーストアイドル制御手段に対して上記コーストアイドル制御を実行させるため、上記設定量を、再加速やエンジンブレーキが必要となる可能性がある程度の量に設定しておけば、上記追従走行制御時にも、再加速やエンジンブレーキが必要となったときには、上記エンジンは既に運転状態にあるため、その高い応答性の要求を満たすことができるようになる。
【００２３】
上記車両の制御装置の第５の態様は、エンジンと、該エンジンと車輪との間の動力伝達経路上に設けられた自動変速機と、上記車輪を制動するブレーキ装置とを備えた車両の制御装置を対象として、上記車両の走行中に上記エンジンを自動停止するとともに上記自動変速機をニュートラル状態にするコーストアイドルストップ制御を実行するコーストアイドルストップ制御手段と、上記車両の走行中に上記エンジンをアイドル運転するとともに上記自動変速機をニュートラル状態にするコーストアイドル制御を実行するコーストアイドル制御手段と、所定のコースト走行条件の成立時に、上記コーストアイドルストップ制御手段により上記コーストアイドルストップ制御を実行させるか、又は、上記コーストアイドル制御手段により上記コーストアイドル制御を実行させるコースト走行制御手段と、上記車両の乗員から、上記車両の車速を目標車速にするように上記エンジン及び上記ブレーキ装置を制御するオートクルーズ制御を実行する要求があった時に、上記オートクルーズ制御を実行するオートクルーズ制御手段と、を備え、上記所定のコースト走行条件は、上記車両の車速が所定車速以上でありかつ該車両のドライバーによるアクセルペダルの踏み込み量が第１所定量未満でありかつ該ドライバーによるブレーキペダルの踏み込み量が第２所定量未満であるという条件であり、上記コースト走行制御手段は、上記所定のコースト走行条件の成立時において、上記オートクルーズ制御手段による上記オートクルーズ制御の実行中であるときには、上記コーストアイドルストップ制御手段に対して上記コーストアイドルストップ制御を実行させる一方、上記オートクルーズ制御手段による上記オートクルーズ制御の実行中でないときには、上記コーストアイドル制御手段に対して上記コーストアイドル制御を実行させるように構成されており、上記エンジンの排気通路に排気浄化装置が設けられており、上記排気浄化装置の温度を検出する排気浄化装置温度検出手段を更に備え、さらに上記コースト走行制御手段は、上記排気浄化装置温度検出手段による上記排気浄化装置の温度が、該排気浄化装置の触媒の活性化温度以上でかつ該触媒の活性化温度よりも高い所定温度未満であるときには、上記所定のコースト走行条件の成立時において、上記オートクルーズ制御の実行中であっても、上記コーストアイドル制御手段に対して上記コーストアイドル制御を実行させるように構成されている、ことが望ましい。
【００２４】
この構成によると、排気浄化装置の温度が、該排気浄化装置の触媒の活性化温度以上でかつ所定温度未満であるときには、常にコーストアイドル制御が実行されるので、排気浄化装置の温度が触媒の活性化温度を下回るのを防止することができる。上記所定温度は、コーストアイドルストップ制御を実行すると、排気浄化装置の温度が触媒の活性化温度を下回るような温度の最大値である。
【発明の効果】
【００２５】
以上説明したように、本発明に係る車両の制御装置によると、コースト走行制御手段が、所定のコースト走行条件の成立時において、オートクルーズ制御手段によるオートクルーズ制御の実行中であるときには、コーストアイドルストップ制御手段に対してコーストアイドルストップ制御を実行させる一方、上記オートクルーズ制御手段による上記オートクルーズ制御の実行中でないときには、コーストアイドル制御手段に対してコーストアイドル制御を実行させるように構成されているため、オートクルーズ制御を実行可能な車両において、燃費の改善効果を出来る限り得られるようにしながら、ドライバーによる再加速要求及びエンジンブレーキ要求に対して高い応答性が要求されるような場合には、その高い応答性の要求を満たすことができる。
【図面の簡単な説明】
【００２６】
【図１】本発明の実施形態に係る車両の制御装置の制御系の構成及びエンジンからの動力伝達系の構成を示すブロック図である。
【図２】所定のコースト走行条件が成立したときにおいて、コーストアイドル制御が実行されたとき、及び、コーストアイドルストップ制御が実行されたときのエンジンの回転数の変化を示すタイミングチャートである。
【図３】コントロールユニットによるコースト走行時の制御を示すフローチャートの一部を示す図である。
【図４】コントロールユニットによるコースト走行時の制御を示すフローチャートの残部を示す図である。
【発明を実施するための形態】
【００２７】
以下、本発明の実施形態を図面基づいて詳細に説明する。
【００２８】
図１は、本発明の実施形態に係る車両の制御装置の制御系の構成及びエンジン１からの動力伝達系の構成を示す。この車両（ここでは、自動車）は、エンジン１と、該エンジン１と前輪６との間の動力伝達経路上に介設された自動変速機２と、各前輪６及び各後輪（図示省略）をそれぞれ制動するブレーキ装置１０とを備えている。
【００２９】
エンジン１の出力軸（クランク軸）は、自動変速機２の入力軸と連結されており、エンジン１の出力軸及び自動変速機２の入力軸が車幅方向に延びている。自動変速機２からの動力は差動装置４に伝達され、この差動装置４に伝達された動力が、左右のドライブシャフト５を介して、左右の前輪６（左側の前輪は省略）をそれぞれ駆動するようになっている。
【００３０】
ブレーキ装置１０は、後述するコントロールユニット５０によって制御される油圧制御弁１１の作動によって油圧が供給されることで作動して、各前輪６及び各後輪をそれぞれ制動する。尚、後述するオートクルーズ（以下、Adaptive Cruse Controlを省略してＡＣＣという）制御の実行中に制動する車輪は、駆動輪（各前輪６）だけであってもよい。
【００３１】
エンジン１の排気通路８には、触媒を有しかつエンジン１からの排気ガスの浄化を行う排気浄化装置９が設けられており、この排気浄化装置９には、該排気浄化装置９の温度を検出する排気浄化装置温度検出手段としての排気浄化装置温度センサ５６が設けられている。
【００３２】
上記車両には、エンジン１及び自動変速機２の作動を制御するコントロールユニット５０が設けられている。このコンロトールユニット５０は、周知のマイクロコンピュータをベースとするコントローラであって、プログラムを実行する中央演算処理装置（ＣＰＵ）と、例えばＲＡＭやＲＯＭにより構成されてプログラム及びデータを格納するメモリと、電気信号の入出力をする入出力（Ｉ／Ｏ）バスと、を備えている。
【００３３】
コンロトールユニット５０には、上記車両のドライバーによるアクセルペダルの踏み込み量（アクセル開度）を検出するアクセル開度センサ５１からの信号と、上記車両の車速を検出する車速センサ５２からの信号と、上記ドライバーによるブレーキペダルの踏み込み量を検出するブレーキ踏み込みセンサ５３からの信号と、上記車両が走行している走行路の勾配を検出する勾配センサ５４からの信号と、上記車両のシフトレバーのレンジ位置を検出するレンジ位置センサ５５からの信号と、上記排気浄化装置温度センサ５６からの信号が入力されるようになっている。また、コントロールユニット５０には、上記ドライバーの操作により上記ＡＣＣ制御を実行させるためのＡＣＣ制御スイッチ６１の操作情報の信号と、上記ドライバーの操作により上記ＡＣＣ制御を停止させるためのＡＣＣ制御キャンセルスイッチ６５の操作情報の信号と、上記ドライバーの操作により上記ＡＣＣ制御において車両の目標車速を設定するための目標車速設定スイッチ６６の操作情報の信号と、が入力されるようになっている。また、コントロールユニット５０には、その他に、上記車両のコースト走行時以外の走行時である通常走行時においてエンジン１の制御に必要な信号が入力される。
【００３４】
コントロールユニット５０は、上記入力した信号に基づいて、エンジン１の作動を制御するとともに、自動変速機２（詳細には、クラッチやブレーキといった複数の締結要素（本実施形態では、摩擦締結要素））の作動を制御する。
【００３５】
コントロールユニット５０内には、変速制御部５０ａと、コーストアイドルストップ制御部５０ｂと、コーストアイドル制御部５０ｃと、コースト走行制御部５０ｄと、上記通常走行時にエンジン１を制御するエンジン制御部５０ｅと、上記ＡＣＣ制御の実行及び停止、並びに、上記ＡＣＣ制御時にエンジン１及びブレーキ装置１０を制御するＡＣＣ制御部５０ｆと、が設けられている。
【００３６】
変速制御部５０ａは、上記通常走行時において、シフトレバー２１（図２参照）のレンジ位置がＤレンジ位置にあるときに、基本的に、上記車両の走行状態（詳細には、アクセル開度センサ５１からの信号及び車速センサ５２からの信号）から、コントロールユニット５０のメモリに予め記憶した変速比マップを用いて変速段を決定して、その決定した変速段になるように、各締結要素の締結及び解放を制御する。
【００３７】
尚、変速制御部５０ａは、上記通常走行時において、自動変速機２を、上記のように車両の走行状態に応じて該自動変速機２の変速段を自動的に切り換える自動変速モードと、上記車両のドライバーの操作により変速段を手動で切り換える手動変速モードとに切り換えて制御することが可能に構成されていてもよい。この場合、上記シフトレバーのレンジ位置として、ドライバーが上記自動変速モードを選択するためのＤレンジ位置に加えて、上記手動変速モードを選択するためのＭレンジ位置が設定される。上記シフトレバーがＭレンジ位置にあるときに、ドライバーは、そのシフトレバーによるシフトダウン操作又はシフトアップ操作によって、自動変速機２の変速段を、該操作の直前に設定された変速段（現時点の変速段）からシフトアップすることが可能になる。
【００３８】
上記自動変速モードと上記手動変速モードとに切り換え可能な構成の場合、上記シフトレバーをＤレンジ位置にしたまま一時的に上記手動変速モードに切り換えるようにすることも可能である。この場合、例えば上記車両のステアリングホイールに、上記シフトレバーとは別に手動変速操作部材（シフトダウン操作可能なシフトダウン操作部材、及び、シフトアップ操作可能なシフトアップ操作部材）が設けられる。そして、変速制御部５０ａは、上記手動変速操作部材を検出するスイッチのＯＮにより、シフトレバーがＤレンジ位置であっても、自動変速モードから手動変速モードに一時的に（そのＯＮから、予め設定された設定時間（例えば２秒〜５秒）の間だけ）切り換えて、上記シフトアップ操作部材又はシフトダウン操作部材の操作に応じて変速段を切り換える。
【００３９】
また、上記自動変速モードと上記手動変速モードとに切り換え可能な構成の場合、後述のコーストアイドルストップ制御又はコーストアイドル制御が実行されているときにも、自動変速モードと手動変速モードとの切り換えを行うとともに、手動変速モードでは、ドライバーのシフトダウン操作及びシフトアップ操作を検出するが、コーストアイドルストップ制御又はコーストアイドル制御の実行中は、後述の如くニュートラル状態にあるので、自動変速機２での実際の変速は行われない。
【００４０】
コーストアイドルストップ制御部５０ｂは、上記車両の走行中にエンジン１を自動停止するとともに自動変速機２をニュートラル状態にするコーストアイドルストップ制御を実行する。すなわち、コーストアイドルストップ制御部５０ｂは、コーストアイドルストップ制御手段を構成する。
【００４１】
コーストアイドル制御部５０ｃは、上記車両の走行中にエンジン１をアイドル運転するとともに自動変速機２をニュートラル状態にするコーストアイドル制御を実行する。すなわち、コーストアイドル制御部５０ｃは、コーストアイドル制御手段を構成する。上記アイドル運転には、エンジン１の補機（例えば空調装置のコンプレッサ）を駆動するために、エンジン１を通常のアイドル回転数よりも少し高い回転数で運転する場合も含む。
【００４２】
コースト走行制御部５０ｄは、所定のコースト走行条件の成立時に、上記車両をコースト走行させるために、コーストアイドルストップ制御部５０ｂに対して上記コーストアイドルストップ制御を実行させる（コーストアイドルストップ制御部５０ｂに対して上記コーストアイドルストップ制御を実行させるためのコーストアイドルストップ制御実行指令を出力する）か、又は、コーストアイドル制御部５０ｃに対して上記コーストアイドル制御を実行させる（コーストアイドル制御部５０ｂに対して上記コーストアイドル制御を実行させるためのコーストアイドル制御実行指令を出力する）。すなわち、コースト走行制御部５０ｄは、コースト走行制御手段を構成する。
【００４３】
上記所定のコースト走行条件は、車速センサ５２による車両の車速が所定車速以上でありかつアクセル開度センサ５１によるアクセルペダルの踏み込み量が第１所定量未満でありかつブレーキ踏込センサ５３によるブレーキペダルの踏み込み量が第２所定量未満であるという条件である。
【００４４】
上記所定車速は、ドライバーが車両をコースト走行させるような車速の最小値（例えば数十ｋｍ／ｈ）である。また、上記第１所定量は、アクセルペダルの踏み込み量が０に近い値であって、実質的に踏み込んでいないと判断できるような量である。上記第２所定量は、ブレーキペダルの踏み込み量が０に近い値であって、実質的に踏み込んでいないと判断できるような量である。
【００４５】
本実施形態では、上記所定のコースト走行条件は、排気浄化装置温度センサ５６による排気浄化装置９の温度が、該排気浄化装置９の触媒の活性化温度以上であるという条件をさらに含む。
【００４６】
また、本実施形態では、上記車両が所定車速以上で走行しているときには、シフトレバー２１がＤレンジ位置（自動変速モードと手動変速モードとに切り換え可能な場合には、Ｄレンジ位置又はＭレンジ位置）にあるものとするが、Ｎレンジ位置にある可能性もあることも考慮して、上記所定のコースト走行条件は、シフトレバー２１がＤレンジ位置（Ｄレンジ位置又はＭレンジ位置）にあるという条件を更に含んでいてもよい。
【００４７】
ＡＣＣ制御部５０ｆは、ドライバーによってＡＣＣ制御スイッチ６１が押されたとき（ＡＣＣ制御開始要求があったとき）に、ＡＣＣ制御を実行させる。すなわち、ＡＣＣ制御部５０ｆは、オートクルーズ制御手段を構成する。
【００４８】
本実施形態では、上記ＡＣＣ制御は、上記車両（以下、ＡＣＣ制御に関する説明では自車両ということがある）の前方に先行車両が存在するときには、自車両との該先行車両との間の車間距離が、予め設定された目標車間距離となるように、エンジン１及びブレーキ装置１０を制御する追従走行制御を実行し、上記先行車両が存在しないときには、自車両の車速が目標車速となるようにエンジン１及びブレーキ装置１０を制御する定速走行制御を実行する制御である。尚、上記追従走行制御では、不図示の撮像装置（カメラなど）やレーダー装置等の検出結果に基づいて、先行車両の位置を特定するようになっている。
【００４９】
ＡＣＣ制御部５０ｆは、上記ＡＣＣ制御の実行時における目標車速を設定する。上記ＡＣＣ制御の実行時における目標車速は、上記追従走行制御と上記定速走行制御とで異なる方法で設定される。詳しくは、上記追従走行制御の場合は、自車両と先行車両との間の車間距離が上記目標車間距離となるように、上記先行車両との車間距離に基づいて上記目標車速が設定される。一方で、上記定速走行制御の場合は、上記ＡＣＣ制御の開始時（ＡＣＣ制御スイッチ６１が押された時）の車速が一時的に目標車速として設定され、その後、自車両のドライバーによって目標車速設定スイッチ６６の操作が行われたときには、該ドライバーによる目標車速設定スイッチ６６の操作に応じた値が、目標車速として設定される。
【００５０】
ＡＣＣ制御部５０ｆは、上記ＡＣＣ制御の実行中に上記車両のドライバーによってアクセル操作（アクセルペダルの踏み込み）があったとしても、上記ＡＣＣ制御の実行を継続させる。例えば、先行車両を追い越す際には、該追い越しのためのアクセル操作を行って、自車両を一時的に加速させる必要がある。また、一般的に、上記先行車両を追い越した後には、運転の快適性を維持するために、再度ＡＣＣ制御が実行されることが多い。そこで上記車両のドライバーによって、アクセル操作が行われたとしても、上記ＡＣＣ制御の実行を継続させて、上記先行車両を追い越した後にも、引き続き上記ＡＣＣ制御が実行されるようにしている。
【００５１】
ＡＣＣ制御部５０ｆは、所定のオートクルーズ制御解除条件（以下、ＡＣＣ制御解除条件という）が成立したときには、上記ＡＣＣ制御を停止する。上記所定のＡＣＣ制御解除条件は、ドライバーによってブレーキ操作がされる（ブレーキペダルが踏み込まれる）という条件、及び、ドライバーによって、ＡＣＣ制御キャンセルスイッチ６５が操作される（押される）という条件のうちの少なくとも一方が成立するという条件である。ＡＣＣ制御部５０ｆは、上記ＡＣＣ制御解除条件が成立したときに上記ＡＣＣ制御を停止させる。すなわち、ＡＣＣ制御キャンセルスイッチ６５はオートクルーズ制御解除手段を構成する。尚、ＡＣＣ制御キャンセルスイッチ６５を設けずに、上記ＡＣＣ制御の実行中に再度ＡＣＣ制御スイッチ６１を押したときに、上記ＡＣＣ制御が停止されるように構成されていてもよい。この場合は、ＡＣＣ制御スイッチ６１がオートクルーズ制御解除手段を構成することになる。
【００５２】
尚、上記のＡＣＣ制御スイッチ６１、ＡＣＣ制御キャンセルスイッチ６５及び目標車速設定スイッチ６６は、それぞれ、上記車両のハンドルや上記車両のインストルメントパネル等に設けられている。目標車速設定スイッチ６６は、例えば回転操作するつまみ式のスイッチであって、目標車速設定スイッチ６６の周囲に記載された目標車速を示すレンジに対して、目標車速設定スイッチ６６の位置を設定したい目標車速に合わせることで、目標車速が設定されるものである。また、目標車速設定スイッチ６６は、上記つまみ式のスイッチではなく、上記目標車速を、上昇させるための押しボタンと低下させるための押しボタンとで構成された押しボタン式のものであってもよい。この場合は、例えば、上記押しボタンを１回押す度に上記目標車速が、５ｋｍ／ｈずつ上昇又は低下するように構成することができる。
【００５３】
上記コースト走行制御部５０ｄは、上記所定のコースト走行条件の成立時において、ＡＣＣ制御部５０ｆによる上記ＡＣＣ制御が実行されている（実行中である）ときには、コーストアイドルストップ制御部５０ｂに対して上記コーストアイドルストップ制御を実行させる一方、上記ＡＣＣ制御部５０ｆによる上記ＡＣＣ制御が実行されていない（実行中でない）ときには、コーストアイドル制御部５０ｃに対して上記コーストアイドル制御を実行させる。
【００５４】
図２に示すように、上記所定のコースト走行条件が成立したときにおいて、上記コーストアイドル制御が実行されたときには、エンジン１の回転数が、上記所定のコースト走行条件の成立前の回転数から徐々に低下して、アイドル回転数にまで低下する。
【００５５】
一方で、上記所定のコースト走行条件が成立したときにおいて、上記コーストアイドルストップ制御が実行されたときには、自動変速機２がニュートラル状態になるまでは、エンジン１の回転数が、上記コーストアイドル制御の実行時と略同じ低下度合いで低下し、その後は、上記コーストアイドル制御の実行時よりも大きな低下度合いで低下して、やがて０になる。
【００５６】
コースト走行制御部５０ｄは、コーストアイドルストップ制御部５０ｂによる上記コーストアイドルストップ制御の実行中において、ＡＣＣ制御部５０ｆが上記目標車速を変更し、その変更量が、予め設定された第１基準車速以上であるときには、ＡＣＣ制御部５０ｆによる上記ＡＣＣ制御の実行中であっても、コーストアイドル制御部５０ｃによる上記コーストアイドル制御の実行に移行させる。上記第１基準車速は、再加速又はエンジンブレーキが必要となる可能性が高くなる程度の変更量であって、例えば１０ｋｍ／ｈ程度の変更量である。
【００５７】
また、コースト走行制御部５０ｄは、コーストアイドルストップ制御部５０ｂによる上記コーストアイドルストップ制御の実行中、又は、コーストアイドル制御部５０ｃによる上記コーストアイドル制御の実行中かつＡＣＣ制御部５０ｆによる上記ＡＣＣ制御の実行中に、ＡＣＣ制御部５０ｆが上記目標車速を変更し、その変更量が、予め上記第１基準車速よりも大きい値に設定された第２基準車速以上であるときには、コーストアイドル制御部５０ｃによる上記コーストアイドル制御を停止させる。上記第２基準車速は、再加速又はエンジンブレーキが必要がとなる程度の変更量であって、例えば２０ｋｍ／ｈ程度の変更量である。
【００５８】
すなわち、コースト走行制御部５０ｄは、コーストアイドルストップ制御部５０ｂによる上記コーストアイドルストップ制御の実行中において、上記目標車速の変更量が、上記第１基準車速以上かつ上記第２基準車速未満であったときには、コーストアイドル制御部５０ｃによる上記コーストアイドル制御の実行に移行させた後、該コーストアイドル制御を維持させる。その後、ＡＣＣ制御部５０ｆがさらに上記目標車速を変更して、該目標車速の変更量が上記第２基準車速以上であったときには、コーストアイドル制御部５０ｃによる上記コーストアイドル制御を停止させる。また、コーストアイドルストップ制御部５０ｂによる上記コーストアイドルストップ制御の実行中において、上記目標車速の変更量が、上記第２基準車速以上であったときには、コーストアイドル制御部５０ｃによる上記コーストアイドル制御の実行に移行させた後、該コーストアイドル制御を停止させる。
【００５９】
尚、上記目標車速の変更は、加速側への変更と減速側への変更の両方を含んでいる。また、上記目標車速は、上記追従走行制御を実行中の時には、先行車両が加速又は減速したときに変更されるものであり、上記定速走行制御を実行中の時には、ドライバーによって目標車速設定スイッチ６６が操作されたときに変更されるものである。
【００６０】
さらに、コースト走行制御部５０ｄは、コーストアイドルストップ制御部５０ｂによる上記コーストアイドルストップ制御の実行中に、ドライバーにより追い越しのためのアクセル操作が行われたとき（アクセルペダルが踏み込まれたとき）には、コーストアイドルストップ制御部５０ｂに対して上記コーストアイドルストップ制御を停止させて、その後、上記アクセル操作が解除されかつ上記所定のコースト走行条件が成立したときには、ＡＣＣ制御部５０ｆによる上記ＡＣＣ制御の実行中であっても、コーストアイドル制御部５０ｃに対して上記コーストアイドル制御を実行させるように構成されている。追い越しのためのアクセル操作が行われたか否かは、アクセル開度センサ５１によるアクセルペダルの踏み込み量が上記第１所定量以上になることに加えて、例えば、ドライバーによってハンドル操作がなされたか否かを検出することによって、判定することができる。
【００６１】
また、コースト走行制御部５０ｄは、上記追い越しのためのアクセル操作が解除されかつ上記所定のコースト走行条件の成立時の、上記コーストアイドル制御の実行中において、上記所定のＡＣＣ制御解除条件が成立するとともに上記所定のコースト走行条件が非成立となったときには、コーストアイドル制御部５０ｃに対して上記コーストアイドル制御を停止させ、その後、上記所定のコースト走行条件の成立時において、ＡＣＣ制御部５０ｆによる上記ＡＣＣ制御が実行中であるときには、コーストアイドルストップ制御部５０ｂに対して上記コーストアイドルストップ制御を実行させるように構成されている。
【００６２】
さらに、コースト走行制御部５０ｄは、コーストアイドルストップ制御部５０ｂによる上記コーストアイドルストップ制御の実行中に、上記所定のＡＣＣ解除条件が成立して、ＡＣＣ制御部５０ｆにより上記ＡＣＣ制御が解除されたときには、コーストアイドル制御部５０ｃによる上記コーストアイドル制御に移行させるように構成されている。
【００６３】
また、コースト走行制御部５０ｄは、上記所定のコースト走行条件の成立時において、ＡＣＣ制御部５０ｆによる上記ＡＣＣ制御が実行中でなく、コーストアイドル制御部５０ｃに対して上記コーストアイドル制御を実行させたときにおいて、ドライバーからＡＣＣ制御開始要求があったとき（ＡＣＣ制御スイッチ６１が押されたとき）には、コーストアイドルストップ制御部５０ｂによる上記コーストアイドルストップ制御に移行させるように構成されている。
【００６４】
さらに、コースト走行制御部５０ｄは、上記所定のコースト走行条件の成立時において、ＡＣＣ制御部５０ｆによる上記追従走行制御の実行中でありかつ上記車両の実車速と上記目標車速との差が、予め設定された設定量未満であるときには、コーストアイドルストップ制御部５０ｂに対してコーストアイドルストップ制御を実行させる一方、上記車両の実車速と上記目標車速との差が、上記設定量以上であるときには、ＡＣＣ制御部５０ｆによる上記追従走行制御の実行中であっても、コーストアイドル制御部５０ｃに対して上記コーストアイドル制御を実行させるように構成されていることが望ましい（この構成については、後述のフローチャートには含まれていない）。上記設定量は、再加速やエンジンブレーキが必要となる可能性がある程度の量であり、例えば１０ｋｍ／ｈ程度である。
【００６５】
さらにまた、コースト走行制御部５０ｄは、排気浄化装置温度センサ５６によって検出される排気装置９の温度が、該排気浄化装置９の触媒の活性化温度以上でかつ該触媒の活性化温度よりも高い所定温度未満であるときには、上記所定のコースト走行条件の成立時において、ＡＣＣ制御部５０ｆによる上記ＡＣＣ制御の実行中であっても、コーストアイドル制御部５０ｃに対して上記コーストアイドル制御を実行させるように構成されていることが望ましい（この構成については、後述のフローチャートには含まれていない）。上記所定温度は、上記コーストアイドルストップ制御を実行すると、排気浄化装置９の温度が上記触媒の活性化温度を下回るような温度の最大値である。
【００６６】
ここで、コンロトールユニット５０によるコースト走行時の制御（コースト走行に関する制御はコースト走行制御部５０ｄにより実行され、上記ＡＣＣ制御に関する制御はＡＣＣ制御部５０ｆにより実行される）について、図３及び図４のフローチャートに基づいて説明する。
【００６７】
最初のステップＳ１０１で、各種センサからの入力信号を読み込み、次のステップＳ１０２で、上記所定のコースト走行条件が成立したか否かを判定する。このステップＳ１０２の判定がＮＯであるときには、そのままリターンする一方、ステップＳ１０２の判定がＹＥＳであるときには、ステップＳ１０３に進む。
【００６８】
上記ステップＳ１０３では、上記ＡＣＣ制御が実行中であるか否かを判定する。このステップＳ１０３の判定がＹＥＳであるときには、ステップＳ１０４に進む一方、ステップＳ１０３の判定がＮＯであるときには、ステップＳ１１２に進む。
【００６９】
上記ステップＳ１０４では、フラグＦが０であるか否かを判定する。このステップＳ１０４の判定がＹＥＳであるときには、ステップＳ１０５に進む一方、ステップＳ１０４の判定がＮＯであるときには、ステップＳ１１２に進む。
【００７０】
次のステップＳ１０５では、コーストアイドルストップ制御部５０ｂに対して上記コーストアイドルストップ制御を実行させる（コーストアイドルストップ制御部５０ｂに対してコーストアイドルストップ制御実行指令を出力する）。これにより、コーストアイドルストップ制御部５０ｂが、エンジン１を自動停止するとともに自動変速機２をニュートラル状態にする。
【００７１】
次のステップＳ１０６では、追い越しのためのアクセル操作がないか否かを判定する。このステップＳ１０６において、追い越しのためのアクセル操作がされていないＹＥＳであるときには、ステップＳ１０７に進む一方、追い越しのためのアクセル操作がされたＮＯであるときには、ステップＳ１１８に進む。
【００７２】
上記ステップＳ１０７では、上記所定のＡＣＣ制御解除条件が非成立であるか否かについて判定する。このステップＳ１０７において、上記所定のＡＣＣ制御解除条件が成立していないＹＥＳであるときには、ステップＳ１０８に進む一方、上記所定のＡＣＣ制御解除条件が成立したＮＯであるときには、ステップＳ１０９において、ＡＣＣ制御部５０ｆによって上記ＡＣＣ制御を停止させてからステップＳ１１２に進む。
【００７３】
上記ステップＳ１０８では、上記目標車速が変更され、該目標車速の変更量が上記第１基準車速未満であるか否かについて判定する。このステップＳ１０８において、上記目標車速の変更量が上記第１基準車速未満であるＹＥＳであるときには、ステップＳ１１０に進む一方、上記目標車速の変更量が上記第１基準車速以上であるＮＯであるときには、ステップＳ１１２に進む。
【００７４】
上記ステップＳ１１０では、復帰条件が成立したか否かについて判定する。この復帰条件は、上記所定のコースト走行条件が非成立であるという条件である。このステップＳ１１０の判定がＮＯであるときには、上記ステップＳ１０６に戻る一方、ステップＳ１１０の判定がＹＥＳであるときには、ステップＳ１１１に進んで、コーストアイドルストップ制御部５０ｂによる上記コーストアイドルストップ制御の実行を停止させ（コーストアイドルストップ制御部５０ｂに対してコーストアイドルストップ制御停止指令を出力し）、しかる後にリターンする。
【００７５】
上記ステップＳ１０３の判定がＮＯであるとき、上記ステップＳ１０４の判定がＮＯであるとき、上記ステップＳ１０７の判定がＮＯであるとき、及び  上記ステップＳ１０８の判定がＮＯであるとき、のいずれか１つのときに進むステップＳ１１２では、コーストアイドル制御部５０ｃに対して上記コーストアイドル制御を実行させる（コーストアイドル制御部５０ｃに対してコーストアイドル制御実行指令を出力する）。これにより、コーストアイドル制御部５０ｃが、エンジン１をアイドル運転するとともに自動変速機２をニュートラル状態にする。尚、上記ステップＳ１０７及び上記ステップＳ１０８から進んできたときには、既に自動変速機２がニュートラル状態になっているので、エンジン１をアイドル運転するとともに自動変速機２をニュートラル状態のままにする。
【００７６】
次のステップＳ１１３では、上記ＡＣＣ制御を実行中であるか否かについて判定する。このステップＳ１１３の判定では、ステップＳ１０４又はステップＳ１０８から上記ステップＳ１１２に進んできたときには、上記ＡＣＣ制御が実行されているためＹＥＳとなる一方、ステップＳ１０３又はステップＳ１０７から上記ステップＳ１１２に進んできたときには、上記ＡＣＣ制御が実行されていないためＮＯとなる。ステップＳ１１３の判定がＹＥＳであるときには、ステップＳ１２０に進む一方、ステップＳ１１３の判定がＮＯであるときには、ステップＳ１１４に進む。
【００７７】
上記ステップＳ１１４では、ＡＣＣ制御開始要求がないか否かについて判定する。このステップＳ１１４において、ＡＣＣ制御開始要求がないＹＥＳであるときには、ステップＳ１１５に進む一方、ＡＣＣ制御開始要求があるＮＯであるときには、ステップＳ１１６に進んで上記ＡＣＣ制御を開始した後、ステップＳ１０５に進む。
【００７８】
上記ステップＳ１１５では、復帰条件が成立したか否かについて判定する。この復帰条件は、上記所定のコースト走行条件が非成立であるという条件、及び、上記目標車速の変更量が上記第２基準車速以上であるという条件であり、上記条件のうちの少なくとも一方が成立したときに、復帰条件が成立したと判定される。このステップＳ１１５の判定がＮＯであるときには、ステップＳ１１３に戻る一方、ステップＳ１１５の判定がＮＯであるときには、ステップＳ１１７に進んで、コーストアイドル制御部５０ｃによる上記コーストアイドル制御の実行を停止させ（コーストアイドル制御部５０ｃに対してコーストアイドル制御停止指令を出力し）、しかる後にリターンする。
【００７９】
上記ステップＳ１０６の判定がＮＯであるときに進むステップＳ１１８では、コーストアイドルストップ制御部５０ｂによる上記コーストアイドルストップ制御の実行を停止させ（コーストアイドルストップ制御部５０ｂに対してコーストアイドルストップ制御停止指令を出力し）、次のステップＳ１１９において、フラグＦを１にセットする。ステップＳ１１９の後は、しかる後にリターンする。
【００８０】
上記ステップＳ１１９を経由してリターンした場合、フラグＦが１の状態でリターンすることとなるため、上記ステップＳ１０４の判定がＮＯとなり、ＡＣＣ制御部５０ｆによる上記ＡＣＣ制御の実行が継続されたままステップＳ１１２に進む。そして、次のステップＳ１１３の判定でＹＥＳとなり、ステップＳ１２０に進む。
【００８１】
上記ステップＳ１２０では、フラグＦが１であるか否かについて判定する。このステップＳ１２０の判定では、ステップＳ１０４からステップＳ１１２に進んだときにはＹＥＳとなり、ステップＳ１０８からステップＳ１１２に進んだときにはＮＯとなる。このステップＳ１２０の判定がＹＥＳであるときには、ステップＳ１２１に進む一方、ステップＳ１２０の判定がＮＯであるときには、ステップＳ１１５に進む。
【００８２】
上記ステップＳ１２１では、上記所定のＡＣＣ解除条件が非成立であるか否かについて判定する。このステップＳ１２１において、上記所定のＡＣＣ制御解除条件が成立していないＹＥＳであるときには、ステップＳ１１５に進む一方、上記所定のＡＣＣ制御解除条件が成立したＮＯであるときには、ステップＳ１２２において、ＡＣＣ制御部５０ｆによって上記ＡＣＣ制御を解除させて、次のステップＳ１２３において、フラグＦを０にリセットしてからステップＳ１１５に進む。
【００８３】
したがって、本実施形態では、コースト走行制御部５０ｄは、上記所定のコースト走行条件成立時において、ＡＣＣ制御部５０ｆによる上記ＡＣＣ制御が実行されているときには、コーストアイドルストップ制御部５０ｂに対して上記コーストアイドルストップ制御を実行させるように構成されているため、燃費の改善効果を十分に得られるようになる。
【００８４】
そして、コーストアイドルストップ制御５０ｂによる上記コーストアイドルストップ制御の実行中において、特に、アクセル開度センサ５１によるアクセルペダルの踏み込みが上記第１所定量以上になる（ドライバーが再加速要求をしている）か、又は、ブレーキ踏込センサ５３によるブレーキペダルの踏み込み量が上記第２所定量以上になる（ドライバーがエンジンブレーキを要求している）ことで、上記所定のコースト走行条件が非成立（復帰条件が成立）となったときには、エンジン１を始動しかつ自動変速機２を非ニュートラル状態にして、そのような要求に対する応答性が低くなる。
【００８５】
一方、上記所定のコースト走行条件の成立時において、ＡＣＣ制御部５０ｆによる上記ＡＣＣ制御が実行されていないときには、ドライバーが再加速要求やエンジンブレーキ要求を行う可能性が高く、再加速要求やエンジンブレーキ要求に対して高い応答性が要求されることになるが、コースト走行制御部５０ｄは、ＡＣＣ制御部５０ｆによる上記ＡＣＣ制御が実行されていないときには、コーストアイドル制御部５０ｃに対して上記コーストアイドル制御を実行させるように構成されているので、ドライバーからの再加速要求やエンジンブレーキ要求があったときには、エンジン１は既に運転状態にあるため、その高い応答性の要求を満たすことができるようになる。
【００８６】
本発明は、上記実施形態に限られるものではなく、請求の範囲の主旨を逸脱しない範囲で代用が可能である。
【００８７】
例えば、上述の実施形態では、コーストアイドルストップ制御部５０ｂによる上記コーストアイドルストップ制御の実行中に、上記目標車速が変更され、その変更量が、上記第２基準車速以上であるときには、先ず、コーストアイドル制御部５０ｃによる上記コーストアイドル制御に移行し、その後、該コーストアイドル制御の実行を停止させるようにしていたが、これに限らず、上記目標車速の変更量が上記第２基準車速以上であるときには、コーストアイドルストップ制御部５０ｂによる上記コーストアイドルストップ制御の実行を直接停止させるようにしてもよい。このようにすれば、複数のステップを省略することができるため、ドライバーからの再加速要求やエンジンブレーキ要求に対する高い応答性の要求を一層満たすことができる。
【００８８】
また、コースト走行制御部５０ｄが、コーストアイドルストップ制御部５０ｂによる上記コーストアイドルストップ制御の実行中における、上記目標車速の変更量と、コーストアイドル制御部５０ｃによる上記コーストアイドル制御に移行した後における、上記目標車速の変更量とを合計した変更量が、上記第２基準車速以上であるときに、コーストアイドル制御部５０ｃによる上記コーストアイドル制御の実行を停止させるように構成されていてもよい。
【００８９】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００９０】
本発明は、車両の走行中にエンジンを自動停止するとともに該車両の自動変速機をニュートラル状態にするコーストアイドルストップ制御を実行するコーストアイドルストップ制御手段と、上記車両の走行中に上記エンジンをアイドル運転するとともに上記自動変速機をニュートラル状態にするコーストアイドル制御を実行するコーストアイドル制御手段と、上記車両の乗員から、上記車両の車速を目標車速にするように上記エンジン及び上記ブレーキ装置を制御するオートクルーズ制御を実行する要求があった時に、上記目標車速を設定して、上記オートクルーズ制御を実行するオートクルーズ制御手段とを備えた、車両の制御装置に有用である。
【符号の説明】
【００９１】
１  エンジン
２  自動変速機
６  前輪（車輪）
９  排気浄化装置
１０  ブレーキ装置
５０  コントロールユニット
５０ｂ  コーストアイドルストップ制御部（コーストアイドルストップ制御手段）
５０ｃ  コーストアイドル制御部（コーストアイドル制御手段）
５０ｄ  コースト走行制御部（コースト走行制御手段）
５０ｆ  ＡＣＣ制御部（オートクルーズ制御手段）
５６    排気浄化装置温度センサ（排気浄化装置温度検出手段）
６５    ＡＣＣ制御キャンセルスイッチ（オートクルーズ制御解除手段）
【図１】
0006369500.tif 000002
【図２】
0006369500.tif 000003
【図３】
0006369500.tif 000004
【図４】
0006369500.tif 000005